(57)【要約】      （修正有）【課題】興趣に富み、外観品質を向上させる車両玩具を提供する。【解決手段】ソーラーパネル１１により供給される電源により駆動される車両玩具１０であって、ソーラーパネルおよびソーラーパネルから供給される電力により駆動するモーター１２を備えるシャーシー部１３と、シャーシー部に取り付けられモーターにより駆動される車輪部１４と、シャーシー部に接合され、透明な素材により形成されたボディ部１５とを備える構成とする。【選択図】図１
0003197259.tif 000002
【実用新案登録請求の範囲】
【請求項１】
ソーラーパネルにより供給される電源により駆動される車両玩具であって、
ソーラーパネルおよび上記ソーラーパネルから供給される電力により駆動するモーターを備えるシャーシー部と、上記シャーシー部に取り付けられ上記モーターにより駆動される車輪部と、上記シャーシー部に接合され、透明な素材により形成されたボディ部とを備えていることを特徴とする車両玩具。
【請求項２】
上記ボディ部は、市販車を模した形状に形成されていることを特徴とする請求項１に記載の車両玩具。
【請求項３】
上記ボディ部には、市販車を模した模様が印刷されていることを特徴とする請求項１または２に記載の車両玩具。
【請求項４】
上記ボディ部は、１枚の合成樹脂製のシート材により形成されていることを特徴とする請求項１〜３のいずれか１項に記載の車両玩具。
【請求項５】
上記シャーシー部は全体略長方形の薄板状に形成されたソーラーパネルにより形成され、上記車輪部は、上記ソーラーパネルの長さ方向に所定間隔離間して取り付けられた一対の車軸固定部材と、上記車軸固定部材に回転可能に固定された車軸と、上記車軸の両端部に固定された一対の車輪とにより構成されていることを特徴とする請求項１〜４のいずれか１項に記載の車両玩具。
【請求項６】
上記車軸固定部材は、側面略コ字状に形成され、上記ソーラーパネルの幅方向に配置される基片部と、上記基片部の両端部において下方へ延出して設けられた車軸挿通片部とを有し、上記車軸挿通片部には、上記ソーラーパネルの幅方向両端部に係合しうる係止部が設けられると共に、上下方向に複数の車軸挿通孔部が開設され、上記一方の車軸固定部材の上記基片部の端部には、上記モーターを固定しうるモーター固定部が一体に形成されていることを特徴とする請求項５記載の車両玩具。
【請求項７】
上記シャーシー部は略長方形の板材により形成され、上記板材の上面部には略全域に亘ってソーラーパネルが配置されると共に、上記板材の長辺部には、両端部において上記車軸が挿通される一対の車軸取付孔部が所定間隔離間して一体に形成されており、上記一方の車軸取付孔の近傍には上記モーターを固定しうるモーター固定部が一体に形成されていることを特徴とする請求項１〜４のいずれか１項に記載の車両玩具。
【考案の詳細な説明】
【技術分野】
【０００１】
本考案は、車両玩具に関し、特に、ソーラーパネルにより発電された電力により駆動する車両玩具に関する。
【背景技術】
【０００２】
従来、ソーラーパネルにより発電された電力により駆動する車両玩具として、特開２０１１−４８３７号公報（特許文献１）に開示された車両玩具が知られている。
【０００３】
上記車両玩具は、合成樹脂材で形成された車体フレームと、上記車体フレームに取り付けられ、ソーラーパネルにより駆動するモーターを備える駆動部と、上記駆動部により駆動され、合成樹脂の発泡部材により形成された複数の車輪とを備え、湾曲した薄板に形成されたソーラーパネルが上記車体フレームに固定されている。
【０００４】
しかしながら、上記車両玩具は、上記ソーラーパネルが車両の上方に配置されており、上記ソーラーパネルが外部に露出した状態で配置されていることから、デザインに制限があり、興趣に富む外観を有する車両玩具を提供することはできなかった。
【特許文献１】特開２０１１−４８３７号公報
【考案の開示】
【考案が解決しようとする課題】
【０００５】
そこで、本考案の課題は、興趣に富み、外観品質を向上させる車両玩具を提供することにある。
【課題を解決するための手段】
【０００６】
上記課題を解決するために、請求項１の考案に係る車両玩具にあっては、ソーラーパネルにより供給される電源により駆動される車両玩具であって、ソーラーパネルおよび上記ソーラーパネルから供給される電力により駆動するモーターを備えるシャーシー部と、上記シャーシー部に取り付けられ上記モーターにより駆動される車輪部と、上記シャーシー部に接合され、透明な素材により形成されたボディ部とを備えていることを特徴とする。
【０００７】
したがって、ソーラーパネルおよび上記ソーラーパネルから供給される電力により駆動するモーターを備えるシャーシー部と、上記シャーシー部に取り付けられ上記モーターにより駆動される車輪部と、上記シャーシー部に接合され、透明な素材により形成されたボディ部とを備えていることから、上記ボディ部は透明であると共に、上記ソーラーパネルは上記ボディ部内に配置される。
【０００８】
請求項２の考案に係る車両玩具にあっては、上記ボディ部は、市販車を模した形状に形成されていることを特徴とする。
【０００９】
したがって、上記ボディ部は、市販車を模した形状に形成されていることから、請求項２の考案に係る車両玩具は、上記市販車を模した形状となる。
【００１０】
請求項３の考案に係る車両玩具にあっては、上記ボディ部には、市販車を模した模様が印刷されていることを特徴とする。
【００１１】
一般的なインク、または赤外線透過性を有するインクを使用して、透明な素材表面に印刷を施した場合であっても、ソーラーパネルにおいて電力を発電するのに必要な光を透過させることができる。
【００１２】
したがって、上記ボディ部には、市販車を模した模様が印刷されていることから、請求項３に係る考案に係る車両玩具は、上記市販車を模した模様が施された外観を有する。
【００１３】
請求項４の考案に係る車両玩具にあっては、上記ボディ部は、１枚の合成樹脂製のシート材により形成されていることを特徴とする。
【００１４】
したがって、上記ボディ部は、１枚の合成樹脂製のシート材により形成されていることから、上記ボディ部を１枚の合成樹脂製のシート材により形成することができる。
【００１５】
請求項５の考案に係る車両玩具にあっては、上記シャーシー部は全体略長方形の薄板状に形成されたソーラーパネルにより形成され、上記車輪部は、上記ソーラーパネルの長さ方向に所定間隔離間して取り付けられた一対の車軸固定部材と、上記車軸固定部材に回転可能に固定された車軸と、上記車軸の両端部に固定された一対の車輪とにより構成されていることを特徴とする。
【００１６】
したがって、上記シャーシー部は全体略長方形の薄板状に形成されたソーラーパネルにより形成され、上記車輪部は、上記ソーラーパネルの長さ方向に所定間隔離間して取り付けられた一対の車軸固定部材と、上記車軸固定部材に回転可能に固定された車軸と、上記車軸の両端部に固定された一対の車輪とにより構成されていることから、従来と異なり、車体フレームを別個に必要とせず、部品点数を少なくすることができる。
【００１７】
また、上記シャーシー部の全域がソーラーパネルとなる。
【００１８】
請求項６の考案に係る車両玩具にあっては、上記車軸固定部材は、側面略コ字状に形成され、上記ソーラーパネルの幅方向に配置される基片部と、上記基片部の両端部において下方へ延出して設けられた車軸挿通片部とを有し、上記車軸挿通片部には、上記ソーラーパネルの幅方向両端部に係合しうる係止部が設けられると共に、上下方向に複数の車軸挿通孔部が開設され、上記一方の車軸固定部材の上記基片部の端部には、上記モーターを固定しうるモーター固定部が一体に形成されていることを特徴とする。
【００１９】
したがって、上記車軸固定部材は、側面略コ字状に形成され、上記ソーラーパネルの幅方向に配置される基片部と、上記基片部の両端部において下方へ延出して設けられた車軸挿通片部とを有し、上記車軸挿通片部には、上記ソーラーパネルの幅方向両端部に係合しうる係止部が設けられると共に、上下方向に複数の車軸挿通孔部が開設されていることから、上記車軸を挿通する上記車軸取付孔部を上下方向において選択することができる。
【００２０】
請求項７の考案に係る車両玩具にあっては、上記シャーシー部は略長方形の板材により形成され、上記板材の上面部には略全域に亘ってソーラーパネルが配置されると共に、上記板材の長辺部には、両端部において上記車軸が挿通される一対の車軸取付孔部が所定間隔離間して一体に形成されており、上記一方の車軸取付孔の近傍には上記モーターを固定しうるモーター固定部が一体に形成されていることを特徴とする。
【００２１】
したがって、上記シャーシー部は略長方形の板材により形成され、上記板材の上面部には略全域に亘ってソーラーパネルが配置されると共に、上記板材の長辺部には、両端部において上記車軸が挿通される一対の車軸取付孔部が所定間隔離間して一体に形成されていることから、上記シャーシー部の部品点数を少なくすることができる。
【００２２】
また、上記シャーシー部の略全域に亘って上記ソーラーパネルが配置されている。
【考案の効果】
【００２３】
請求項１に係る車両玩具は、上記ボディ部は透明であると共に、上記ソーラーパネルは上記ボディ部内部に配置されることから、上記ボディ部を透過した光が上記ボディ部内に配置された上記ソーラーパネルに当たることにより、上記モーターに電力が供給され、上記車輪部を駆動させることができる。
【００２４】
したがって、上記ボディ部は透明であると共に、上記ソーラーパネルは上記ボディ部内に配置されることから、従来と異なり、ソーラーパネルが外部に露出した状態で配置されることによるデザインの制限がなく、ボディ形状の自由度を確保でき、その結果、興趣に富み、外観品質を向上させることができる。
【００２５】
請求項２の考案に係る車両玩具にあっては、請求項１に記載の考案の効果に加えて、上記市販車を模した形状となることから、興趣に富み、外観品質を向上させた玩具を提供することができる。
【００２６】
また、上記市販車の販促品として使用した場合には、販売しようとする上記市販車を模した形状を有する車両玩具を提供することができ、その結果、需要者への訴求効果の高い販促品として使用することができる。
【００２７】
請求項３の考案に係る車両玩具にあっては、請求項２に記載の考案の効果に加えて、上記市販車を模した模様が施された外観を有することから、さらに興趣に富み、外観品質を向上させた車両玩具を提供することができる。
【００２８】
また、上記市販車の販促品として使用した場合には、販売しようとする上記市販車を模した外観を有する車両玩具を提供することができ、さらに需要者への訴求効果の高い販促品として使用することができる。
【００２９】
請求項４の考案に係る車両玩具にあっては、請求項３に記載の考案の効果に加えて、上記ボディ部を１枚の合成樹脂製のシート材により形成することができることから、部品点数を少なくすることができ、その結果、製作コストを低減することができる。
【００３０】
請求項５の考案に係る車両玩具にあっては、従来と異なり、車体フレームを別個に必要とせず、部品点数を少なくすることができることから、製作コストを低減することができる。また、製作に必要な工程数が少なくなり、その結果、上記シャーシー部を容易に組み立てることができる。
【００３１】
また、上記シャーシー部の全域がソーラーパネルとなることから、上記シャーシー部に照射される光が弱い場合であっても、効率良く発電することができ、その結果、光が弱い状況であっても、請求項５の考案に係る車両玩具を駆動させることができる。
【００３２】
請求項６の考案に係る車両玩具にあっては、上記車軸を挿通する上記車軸取付孔部を上下方向において選択することができることから、使用する車輪の径寸法に対して適切な高さ位置に設けられた上記車軸取付孔部に上記車軸を挿通することができ、その結果、上記ボディ部の外観に応じた径寸法を有する上記車輪を違和感なく配置することができる。
【００３３】
請求項７の考案に係る車両玩具にあっては、上記シャーシー部の部品点数を少なくすることができる、製作コストを低減することができる。また、製作に必要な工程数が少なくなり、その結果、上記シャーシー部を容易に組み立てることができる。
【００３４】
また、上記シャーシー部の略全域に亘って上記ソーラーパネルが配置されることから、上記シャーシー部に照射される光が弱い場合であっても、効率良く発電することができ、その結果、光が弱い状況であっても、請求項７の考案に係る車両玩具を駆動させることができる。
【図面の簡単な説明】
【００３５】
【図１】本考案に係る車両玩具の第一の実施の形態における車両玩具を示す斜視図である。
【図２】本考案に係る車両玩具の第一の実施の形態におけるボディ部を示す上面図である。
【図３】本考案に係る車両玩具の第一の実施の形態におけるシャーシー部を示す斜視図である。
【図４】本考案に係る車両玩具の第一の実施の形態における車両玩具を示す分解斜視図である。
【図５】本考案に係る車両玩具の第二の実施の形態における車両玩具を示す分解斜視図である。
【考案を実施するための最良の形態】
【００３６】
以下、添付図面に示す第一の実施の形態に基づき、本考案を詳細に説明する。
【００３７】
図１に示すように、本実施の形態に係る車両玩具１０は、ソーラーパネル１１により供給される電源により駆動される車両玩具である。
【００３８】
図１に示すように、上記車両玩具１０は、上記ソーラーパネル１１および上記ソーラーパネル１１から供給される電力により駆動するモーター１２を備えるシャーシー部１３と、上記シャーシー部１３に取り付けられ上記モーター１２により駆動される車輪部１４と、上記シャーシー部１３に接合され、透明な素材により形成されたボディ部１５とを備えている。
【００３９】
図１に示すように、上記ボディ部１５は、市販車（図示せず）を模した形状に形成されていると共に、上記ボディ部１５には、上記市販車を模した模様が印刷されている。
【００４０】
また、図２に示すように、上記ボディ部１５は、１枚の合成樹脂製のシート材１６を切り起こすことにより形成されている。
【００４１】
図３および図４に示すように、第一の実施の形態に係る車両玩具１０においては、上記シャーシー部１３は全体略長方形の薄板状に形成されたソーラーパネル１１により形成され、上記車輪部１４は、上記ソーラーパネル１１の長さ方向に所定間隔離間して取り付けられた一対の車軸固定部材１７ａ、１７ｂと、上記車軸固定部材１７ａ、１７ｂに回転可能に固定された車軸１８ａ、１８ｂと、上記車軸１８ａ、１８ｂの両端部１９ａ、１９ｂに固定された一対の前輪２０ａおよび一対の後輪２０ｂとにより構成されている。
【００４２】
また、図４に示すように、上記車軸固定部材１７ａ、１７ｂは、側面略コ字状に形成され、上記ソーラーパネル１１の幅方向に配置される基片部２１ａ、２１ｂと、上記基片部２１ａ、２１ｂの両端部２２ａ、２２ｂにおいて下方へ延出して設けられた車軸挿通片部２３ａ、２３ｂとを有し、上記車軸挿通片部２３ａ、２３ｂの内方には、上記ソーラーパネル１１の幅方向両端部２４に係合しうる係止部２５ａ、２５ｂが互いに対向して設けられると共に、上下方向に２つの車軸挿通孔部２６ａ、２６ｂが開設され、後方側の車軸固定部材１７ｂの上記基片部２１ｂの進行方向左側の端部２２ｂには、上記モーター１２を固定しうるモーター固定部２７が一体に形成されている。
【００４３】
上記モーター１２は、全体略円筒形であり、上記モーターの側面部３２には導線３３の一端部３４が接続され、上記導線３３の他端部（図示せず）は上記ソーラーパネル１１の裏面部に設けられた端子（図示せず）に接続されている。
【００４４】
上記モーター固定部２７は上記モーター１２の側面部３２と略同一の曲率を有し、上記側面部３２を前方および後方からそれぞれ押圧し、上記モーター１２を固定しうるモーター固定片部３５により形成されている。
【００４５】
図１および図３に示すように、上記モーター１２の駆動軸部２８が外方へ延設され、上記駆動軸部２８の先端部２９にはゴム管３０が固定され、上記ゴム管３０は、左側後輪２０ｂの径方向周縁部３１に当接し、上記ゴム管３０と上記後輪２０ｂとの間に働く摩擦力により、上記駆動軸部２８の回転運動を後輪２０ｂに伝達し、車両玩具１０を駆動させることができるように構成されている。
【００４６】
以下、本実施の形態に係る車両玩具１０の作用について説明する。
【００４７】
図１に示すように、上記車両玩具１０は、ソーラーパネル１１および上記ソーラーパネル１１から供給される電力により駆動するモーター１２を備えるシャーシー部１３と、上記シャーシー部１３に取り付けられ上記モーター１２により駆動される車輪部１４と、上記シャーシー部１３に接合され、透明な素材により形成されたボディ部１５とを備えていることから、上記ボディ部１５は透明であると共に、上記ソーラーパネル１１は上記ボディ部１５内に配置される。
【００４８】
したがって、上記ボディ部１５は透明であると共に、上記ソーラーパネル１１は上記ボディ部１５内に配置されることから、上記ボディ部１５を透過した光が上記ボディ部１５内に配置された上記ソーラーパネル１１に当たることにより、上記モーター１２に電力が供給され、上記車輪部１４を駆動させ、上記車両玩具１０は走行することができる。
【００４９】
したがって、上記ボディ部１５は透明であると共に、上記ソーラーパネル１１は上記ボディ部１５内に配置されることから、従来と異なり、ソーラーパネル１１が外部に露出した状態で配置されることによるデザインの制限がなく、ボディ形状の自由度を確保でき、その結果、興趣に富み、外観品質を向上させることができる
【００５０】
また、図１に示すように、上記ボディ部１５は、上記市販車を模した形状に形成されていることから、車両玩具１０は、上記市販車を模した形状となり、その結果、興趣に富み、外観品質を向上させた玩具を提供することができる。
【００５１】
また、上記車両玩具１０を上記市販車の販促品として使用した場合には、販売しようとする上記市販車を模した形状を有する車両玩具を提供することができ、その結果、需要者に訴求効果の高い販促品として使用することができる。
【００５２】
さらに、上記ボディ部１５には、上記市販車を模した模様が印刷されていることから、車両玩具１０は、上記市販車を模した模様が施された外観を有し、その結果、さらに興趣に富み、外観品質を向上させた車両玩具を提供することができる。
【００５３】
また、上記市販車の販促品として使用した場合には、販売しようとする上記市販車を模した外観を有する車両玩具を提供することができ、さらに需要者に訴求効果の高い販促品として使用することができる。
【００５４】
図３および図４に示すように、上記記シャーシー部１３は全体略長方形の薄板状に形成されたソーラーパネル１１により形成され、上記車輪部１４は、上記ソーラーパネル１１の長さ方向に所定間隔離間して取り付けられた一対の車軸固定部材１７a、１７ｂと、上記車軸固定部材１７a、１７ｂに回転可能に固定された車軸１８a、１８ｂと、上記車軸１８a、１８ｂの両端部１９a、１９ｂに固定された一対の前輪２０aおよび一対の後輪２０ｂとにより構成されていることから、従来と異なり、車体フレームを別個に必要とせず、部品点数を少なくすることができる。
【００５５】
したがって、従来と異なり、車体フレームを必要とせず、部品点数を少なくすることができることから、製作コストを低減することができる。また、製作に必要な工程数が少なくなり、その結果、上記シャーシー部１３を容易に組み立てることができる。
【００５６】
また、上記シャーシー部１３の全域がソーラーパネル１１となることから、上記シャーシー部１３に照射される光が弱い場合であっても、効率良く発電することができ、その結果、光が弱い状況であっても、上記車両玩具１０を駆動させることができる。
【００５７】
図４に示すように、上記車軸固定部材１７a、１７ｂは、側面略コ字状に形成され、上記ソーラーパネル１１の幅方向に配置される基片部２１a、２１ｂと、上記基片部２１a、２１ｂの両端部２２a、２２ｂにおいて下方へ延出して設けられた車軸挿通片部２３a、２３ｂとを有し、上記車軸挿通片部２３a、２３ｂには、上記ソーラーパネル１１の幅方向両端部２４に係合しうる係止部２５a、２５ｂが設けられると共に、上下方向に２つの車軸挿通孔部２６a、２６ｂが開設されていることから、上記車軸１８a、１８ｂを挿通する上記車軸取付孔部２６a、２６ｂを上下方向において選択することができる。
【００５８】
したがって、上記車軸１８a、１８ｂを挿通する上記車軸取付孔部２６a、２６ｂを上下方向において選択することができることから、使用する上記前輪２０ａおよび上記後輪２０ｂの径寸法に対して適切な高さ位置に設けられた上記車軸取付孔部２６a、２６ｂに上記車軸１８a、１８ｂを挿通することができ、その結果、上記ボディ部１５の外観に応じた径寸法を有する上記前輪２０ａおよび上記後輪２０ｂを違和感なく配置することができる。
【００５９】
次に、添付図面に示す第二の実施の形態を説明する。
【００６０】
以下に説明する第二の実施の形態においては、上記第一の実施に形態における車両玩具１０と共通する構成に関し、上記第一の実施に形態と同一の符号を付し、その説明を省略する。
【００６１】
図５に示すように、第二の実施の形態に係る車両玩具４０は、ボディ部１５とシャーシー部４１と、車輪部４２により構成されている。
【００６２】
図５に示すように、上記シャーシー部４１は略長方形の板材４３により形成され、上記板材４３の上面部４４には略全域に亘ってソーラーパネル４５が配置されると共に、上記板材４３の長辺部４６には、両端部４７ａ、４７ｂにおいて車軸１８ａ、１８ｂが挿通される一対の車軸取付孔部４８ａ、４８ｂが所定間隔離間して、上記板材４３の下方へ突出して形成された円環部として上記板材４３の幅方向において一対に設けられ、上記板材４３と一体に形成されている。
【００６３】
また、上記板材４３の後方に配置された上記車軸取付孔４８ｂの近傍には上記モーター１２を固定しうるモーター固定部４９が一体に形成されている。
【００６４】
また、上記車輪部４２は、上記車軸２２ａ、２２ｂと、上記車軸２２ａ、２２ｂの両端部１９ａ、１９ｂにそれぞれ固定された前輪２０ａ、後輪２０ｂとにより構成されている。他の構成は前記第一の実施の形態と同一である。
【００６５】
以下、本実施の形態に係る車両玩具４０の作用について説明する。
【００６６】
上記車両玩具４０は、上記第一の実施の形態における上記ボディ部１５の構成によりもたらされる作用効果と同一の作用効果を奏する。
【００６７】
また、図５に示すように、上記シャーシー部４１は略長方形の板材４３により形成され、上記板材４３の上面部４４には略全域に亘ってソーラーパネル４５が配置されると共に、上記板材４３の長辺部４６には、両端部４７ａ、４７ｂにおいて車軸１８ａ、１８ｂが挿通される一対の車軸取付孔部４８ａ、４８ｂが所定間隔離間して一体に形成されており、後方に配置された上記車軸取付孔４８ｂの近傍には上記モーター１２を固定しうるモーター固定部が一体に形成されていることから、上記シャーシー部４１を構成する部品点数を少なくすることができる。
【００６８】
したがって、上記車両玩具４０は、部品点数を少なくすることができることから、製作コストを低減することができる。また、製作に必要な工程数が少なくなり、その結果、上記シャーシー部４１を容易に組み立てることができる。
【００６９】
また、上記シャーシー部４１の略全域に亘って上記ソーラーパネル４５が配置されることから、上記シャーシー部４１に照射される光が弱い場合であっても、効率良く発電することができ、その結果、光が弱い状況であっても、上記車両玩具４０を駆動させることができる。
【００７０】
なお、本実施の形態のおいては、上記ボディ部１５を一枚の合成樹脂製のシート材１６により形成したが、上記ボディ部１５は、ブロー成形によりボトル容器形状に形成された合成樹脂材を使用することもできる。
【産業上の利用可能性】
【００７１】
本考案は、ソーラーパネルを利用した車両玩具に適用可能であり、産業上の利用可能性を有している。
【符号の説明】
【００７２】
１０  車両玩具
１１  ソーラーパネル
１２  モーター
１３    シャーシー部
１４  車輪部
１５  ボディ部
１６  シート材  
１７ａ  車軸固定部材
１７ｂ  車軸固定部材
１８ａ  車軸
１８ｂ  車軸
１９ａ  端部
１９ｂ  端部
２０ａ  前輪
２０ｂ  後輪
２１ａ  基片部
２１ｂ  基片部
２２ａ  端部
２２ｂ  端部
２３ａ  車軸挿通片部
２３ｂ  車軸挿通片部
２４  端部
２５ａ  係止部
２５ｂ  係止部
２６ａ  車軸挿通孔部
２６ｂ  車軸挿通孔部
２７  モーター固定部
２８  駆動軸部
２９  先端部
３０  ゴム管
３１  周縁部
３２  側面部
３３  導線
３４  一端部
３５  固定片部
４０  車両玩具
４１  シャーシー部
４２  車輪部
４３  板材
４４  上面部
４５  ソーラーパネル
４６  長辺部
４７ａ  端部
４７ｂ  端部
４８ａ  車軸取付孔部
４８ｂ  車軸取付孔部
４９  モーター固定部
【図１】
0003197259.tif 000003
【図２】
0003197259.tif 000004
【図３】
0003197259.tif 000005
【図４】
0003197259.tif 000006
【図５】
0003197259.tif 000007